(57)【要約】【課題】建物内で発生する排熱を利用して蓄電池を保温することにより、蓄電池の性能を良好に維持することができる蓄電池収納庫を得る。【解決手段】蓄電池収納庫４０は建物の床下スペース２２に設置されている。蓄電池収納庫４０は内部に蓄電池４４を収納する蓄電池収納箱４６と、箱本体部５２内に配索された配管５０とで構成されている。配管５０は給湯器に接続されており、必要に応じて給湯・給水できるようになっている。【選択図】図２
2010192409.tif 000002
【特許請求の範囲】
【請求項１】
建物の床下に設置されると共に、内部に蓄電池が収納される蓄電池収納箱と、
この蓄電池収納箱を構成する壁の内壁面又は外壁面に沿って配索され或いは当該壁の内部を通って配索されると共に、建物内に設置された熱源又は建物に付随して設置された熱源に各々バルブを介して接続され、当該熱源から供給される熱媒体が送給される複数の配管と、
を有する蓄電池収納庫。
【請求項２】
前記建物に付随して設置された熱源は給湯器とされていると共に前記熱媒体は温水とされている、
ことを特徴とする請求項１記載の蓄電池収納庫。
【請求項３】
前記建物に付随して設置された熱源は給水経路とされていると共に前記熱媒体は冷水とされている、
ことを特徴とする請求項１記載の蓄電池収納庫。
【請求項４】
前記配管の配索経路に設けられ、前記配管内を通る熱媒体の温度を検出する熱媒体温度検出手段と、
前記蓄電池収納箱内に設けられ、当該蓄電池収納箱内の気温を検出する蓄電池収納箱内気温検出手段と、
前記蓄電池収納箱内気温検出手段によって検出された気温と前記熱媒体温度検出手段との検出結果に基づいて、前記複数の配管のうち使用する一又は二以上の配管を選択して前記バルブの開閉制御を行う制御手段と、
を有することを特徴とする請求項１〜請求項３のいずれか１項に記載の蓄電池収納庫。
【請求項５】
前記バルブは、全開と全閉以外に途中の開度に保持可能とされていると共に、前記制御手段によって開度が制御されている、
ことを特徴とする請求項４記載の蓄電池収納庫。
【請求項６】
前記制御手段は、前記蓄電池収納箱内気温検出手段によって検出された気温が第１の所定温度未満の場合には、低温の熱媒体を送給するためのすべての配管のバルブを閉止状態とし、高温の熱媒体を送給するための少なくとも一つの配管のバルブを開放状態にする、
ことを特徴とする請求項４又は請求項５記載の蓄電池収納庫。
【請求項７】
前記制御手段は、前記蓄電池収納箱内気温検出手段によって検出された気温が第１の所定温度よりも高い第２の所定温度を超えている場合には、高温の熱媒体を送給するためのすべての配管のバルブを閉止状態とし、低温の熱媒体を送給するための配管の少なくとも一つの配管のバルブを開放状態とする、
ことを特徴とする請求項４又は請求項５記載の蓄電池収納庫。
【請求項８】
前記蓄電池収納箱の上壁部又は側壁部に設けられ、蓄電池収納箱内の空間と蓄電池収納箱外の空間とを相互に連通する開口部と、
この開口部を開閉する開閉手段と、
を有し、
前記制御手段は、前記蓄電池収納箱内気温検出手段によって検出された気温が第１の所定温度未満の場合には、前記開閉手段を閉止状態とする、
ことを特徴とする請求項４〜請求項７のいずれか１項に記載の蓄電池収納庫。
【請求項９】
前記蓄電池収納箱の上壁部又は側壁部に設けられ、蓄電池収納箱内の空間と蓄電池収納箱外の空間とを相互に連通する開口部と、
この開口部を開閉する開閉手段と、
を有し、
前記制御手段は、前記蓄電池収納箱内気温検出手段によって検出された気温が第２の所定温度を超えている場合には、前記開閉手段を開放状態とする、
ことを特徴とする請求項４〜請求項７のいずれか１項に記載の蓄電池収納庫。
【請求項１０】
前記蓄電池収納箱における少なくとも前記配管が配索される範囲には、断熱材が設けられている、
ことを特徴とする請求項４〜請求項９のいずれか１項に記載の蓄電池収納庫。
【発明の詳細な説明】
【技術分野】
【０００１】
本発明は、蓄電池収納庫に関する。
【背景技術】
【０００２】
下記特許文献１には、バッテリの温度が低下することによるバッテリ性能の低下を抑制するために燃焼式ヒータを用いた技術が開示されている。この先行技術では、冷却水が循環する回路にバッテリが接続されていると共に、燃焼式ヒータが接続されており、バッテリの温度が所定値以下になると燃焼式ヒータで加熱された冷却水がバッテリに送給されてバッテリが適温に保温されるようになっている。
【先行技術文献】
【特許文献】
【０００３】
【特許文献１】特開平８−２２８４５号公報
【発明の概要】
【発明が解決しようとする課題】
【０００４】
ここで、住宅等の建物において蓄電池収納庫を設置し、当該蓄電池収納庫に蓄電池を収納し、電力を蓄えることが検討されている。この場合に、上記先行技術を応用すると、燃焼式ヒータで冷却水を加熱して蓄電池を加熱することになる。
【０００５】
しかしながら、この先行技術で用いる燃焼式ヒータは、燃焼ガスとの熱交換作用により冷却水を加熱するものであるため、建物内に新たな熱源を設置することとなり、無駄が多い。その一方で、一般に建物内には種々の排熱が発生するので、排熱を利用して蓄電池を保温することができれば省エネに資する。
【０００６】
本発明は上記事実を考慮し、建物内で発生する排熱を利用して蓄電池を保温することにより、蓄電池の性能を良好に維持することができる蓄電池収納庫を得ることが目的である。
【課題を解決するための手段】
【０００７】
請求項１記載の本発明に係る蓄電池収納庫は、建物の床下に設置されると共に、内部に蓄電池が収納される蓄電池収納箱と、この蓄電池収納箱を構成する壁の内壁面又は外壁面に沿って配索され或いは当該壁の内部を通って配索されると共に、建物内に設置された熱源又は建物に付随して設置された熱源に各々バルブを介して接続され、当該熱源から供給される熱媒体が送給される複数の配管と、を有している。
【０００８】
請求項２記載の本発明に係る蓄電池収納庫は、請求項１記載の発明において、前記建物に付随して設置された熱源は給湯器とされていると共に前記熱媒体は温水とされている、ことを特徴としている。
【０００９】
請求項３記載の本発明に係る蓄電池収納庫は、請求項１記載の発明において、前記建物に付随して設置された熱源は給水経路とされていると共に前記熱媒体は冷水とされている、ことを特徴としている。
【００１０】
請求項４記載の本発明に係る蓄電池収納庫は、請求項１〜請求項３のいずれか１項に記載の発明において、前記配管の配索経路に設けられ、前記配管内を通る熱媒体の温度を検出する熱媒体温度検出手段と、前記蓄電池収納箱内に設けられ、当該蓄電池収納箱内の気温を検出する蓄電池収納箱内気温検出手段と、前記蓄電池収納箱内気温検出手段によって検出された気温と前記熱媒体温度検出手段との検出結果に基づいて、前記複数の配管のうち使用する一又は二以上の配管を選択して前記バルブの開閉制御を行う制御手段と、を有することを特徴としている。
【００１１】
請求項５記載の本発明に係る蓄電池収納庫は、請求項４記載の発明において、前記バルブは、全開と全閉以外に途中の開度に保持可能とされていると共に、前記制御手段によって開度が制御されている、ことを特徴としている。
【００１２】
請求項６記載の本発明に係る蓄電池収納庫は、請求項４又は請求項５記載の発明において、前記制御手段は、前記蓄電池収納箱内気温検出手段によって検出された気温が第１の所定温度未満の場合には、低温の熱媒体を送給するためのすべての配管のバルブを閉止状態とし、高温の熱媒体を送給するための少なくとも一つの配管のバルブを開放状態にする、ことを特徴としている。
【００１３】
請求項７記載の本発明に係る蓄電池収納庫は、請求項４又は請求項５記載の発明において、前記制御手段は、前記蓄電池収納箱内気温検出手段によって検出された気温が第１の所定温度よりも高い第２の所定温度を超えている場合には、高温の熱媒体を送給するためのすべての配管のバルブを閉止状態とし、低温の熱媒体を送給するための配管の少なくとも一つの配管のバルブを開放状態とする、ことを特徴としている。
【００１４】
請求項８記載の本発明に係る蓄電池収納庫は、請求項４〜請求項７のいずれか１項に記載の発明において、前記蓄電池収納箱の上壁部又は側壁部に設けられ、蓄電池収納箱内の空間と蓄電池収納箱外の空間とを相互に連通する開口部と、この開口部を開閉する開閉手段と、を有し、前記制御手段は、前記蓄電池収納箱内気温検出手段によって検出された気温が第１の所定温度未満の場合には、前記開閉手段を閉止状態とする、ことを特徴としている。
【００１５】
請求項９記載の本発明に係る蓄電池収納庫は、請求項４〜請求項７のいずれか１項に記載の発明において、前記蓄電池収納箱の上壁部又は側壁部に設けられ、蓄電池収納箱内の空間と蓄電池収納箱外の空間とを相互に連通する開口部と、この開口部を開閉する開閉手段と、を有し、前記制御手段は、前記蓄電池収納箱内気温検出手段によって検出された気温が第２の所定温度を超えている場合には、前記開閉手段を開放状態とする、ことを特徴としている。
【００１６】
請求項１０記載の本発明に係る蓄電池収納庫は、請求項４〜請求項９のいずれか１項に記載の発明において、前記蓄電池収納箱における少なくとも前記配管が配索される範囲には、断熱材が設けられている、ことを特徴としている。
【００１７】
請求項１記載の本発明によれば、建物の床下には蓄電池収納箱が設置されており、この蓄電池収納箱内に蓄電池が収納される。通常、建物の床下は温度変動が少ないため、蓄電池を性能低下を来さない環境下での蓄電池の保温が可能となる。
【００１８】
ここで、蓄電池収納庫を構成する壁の内壁面又は外壁面に沿って複数の配管が配索され、或いは壁の内部を通って複数の配管が配索されており、建物内に設置された熱源又は建物に付随して設置された熱源と各々バルブを介して接続されているので、バルブが開放されるとその配管内へ熱源からの熱媒体が送給される。このため、例えば給湯器を熱源とした場合には、熱水であるお湯が配管へ送給されて、蓄電池収納箱内に収納された蓄電池が加熱される。また、例えば給水管を熱源とした場合には、冷水である水が配管へ送給されて、蓄電池収納箱内に収納された蓄電池が冷却される。
【００１９】
このように本発明では、蓄電池が過度に冷却される環境下におかれた場合には、配管内にお湯を送給することにより、蓄電池の温度低下を抑制することができる。また、この場合に、従来であれば熱損失として大気中に放出されていた排熱が、蓄電池の保温に有効利用される。なお、蓄電池が過度に加熱される環境下におかれた場合には、配管内に水を送給することにより、蓄電池の温度上昇を抑制することができる。
【００２０】
請求項２記載の本発明によれば、配管には給湯器で生成された温水（お湯）が送給される。そして、蓄電池収納箱内に収納され蓄電池は、当該配管から放出される熱によって加熱される。
【００２１】
請求項３記載の本発明によれば、配管には給水経路を通る冷水が供給される。そして、蓄電池収納箱内に収納された蓄電池は、当該配管から放出される冷熱によって冷却される。
【００２２】
請求項４記載の本発明によれば、熱媒体温度検出手段によって配管内を通る熱媒体の温度が検出される。また、蓄電池収納箱内気温検出手段によって蓄電池収納箱内の気温が検出される。制御手段では、これらの検出結果に基づいて、複数の配管のうち使用する一又は二以上の配管を選択し、それに応じたバルブの開閉制御を行う。これにより、例えば、冬季等において蓄電池収納箱内の気温が充分に低い場合には、お湯が流れる一又は二以上の配管のバルブを開放し、水が流れる一又は二以上の配管のバルブを閉止するといった制御が可能となる。逆に、夏季等において蓄電池収納箱内の気温が充分に低い場合には、水が流れる一又は二以上の配管のバルブを開放し、お湯が流れる一又は二以上の配管のバルブを閉止するといった制御が可能となる。
【００２３】
請求項５記載の本発明によれば、バルブは全開と全閉以外にも途中の開度に保持可能とされており、制御手段によってその開度が調節されるので、単に配管内へ熱媒体を送給するかしないかの選択だけでなく、流量を減らして熱媒体を送給するといったことも可能となる。熱媒体の流量が変われば、蓄電池を加熱又は冷却するために伝える熱量も変わるので、より細かな保温が可能となる。
【００２４】
請求項６記載の本発明によれば、蓄電池収納箱内気温検出手段によって検出された気温が第１の所定温度未満の場合には、制御手段によって、低温の熱媒体を送給するためのすべての配管のバルブが閉止状態とされる。従って、蓄電池が更に冷却される事態を回避することができる。また、高温の熱媒体を送給するための少なくとも一つの配管のバルブが開放状態とされるので、開放状態とされたバルブと繋がった配管を流れる高温の熱媒体によって蓄電池が加熱される。従って、蓄電池は過度に冷却された状態を脱し、性能が回復していく。
【００２５】
請求項７記載の本発明によれば、蓄電池収納箱内気温検出手段によって検出された気温が第２の所定温度を超えている場合には、制御手段によって、高温の熱媒体を送給するためのすべての配管のバルブが閉止状態とされる。従って、蓄電池が更に加熱される事態を回避することができる。また、低温の熱媒体を送給するための少なくとも一つの配管のバルブが開放状態とされるので、開放状態とされたバルブと繋がった配管を流れる低温の熱媒体によって蓄電池が冷却される。従って、蓄電池は過度に加熱された状態を脱し、性能が回復していく。
【００２６】
請求項８記載の本発明によれば、蓄電池収納箱内気温検出手段によって検出された気温が第１の所定温度未満の場合には、制御手段によって開閉手段が閉止される。このため、蓄電池収納箱の上壁部又は側壁部に設けられた開口部は閉止され、蓄電池収納箱の内部と床下スペースとが遮断される。従って、床下スペース内の冷気が開口部から蓄電池収納箱内に流入するのを防止することができる。
【００２７】
請求項９記載の本発明によれば、蓄電池収納箱内気温検出手段によって検出された気温が第２の所定温度を超えている場合には、制御手段によって開閉手段が開放される。このため、蓄電池収納箱の上壁部又は側壁部に設けられた開口部が開放され、蓄電池収納箱の内部と床下スペースとが連通される。従って、床下スペース内の冷気が開口部から蓄電池収納箱内に流入される。
【００２８】
請求項１０記載の本発明によれば、蓄電池収納箱における少なくとも配管が配索される範囲には断熱材が設けられているので、配管と蓄電池収納箱の外部との熱の授受が遮断される。従って、熱媒体によって運ばれた温熱又は冷熱が蓄電池に伝達されずに蓄電池収納箱外へ逃げる熱ロスを削減することができる。
【発明の効果】
【００２９】
以上説明したように、請求項１記載の本発明に係る蓄電池収納庫は、建物内で発生する排熱を利用して蓄電池を保温することにより、蓄電池の性能を良好に維持することができるという優れた効果を有する。
【００３０】
請求項２記載の本発明に係る蓄電池収納庫は、給湯器から温水使用箇所へ配管を使って温水を供給する経路から放出される排熱の有効利用を図ることができるという優れた効果を有する。
【００３１】
請求項３記載の本発明に係る蓄電池収納庫は、蓄電池を加熱保温するだけでなく、蓄電池を冷却保温することもできるという優れた効果を有する。
【００３２】
請求項４記載の本発明に係る蓄電池収納庫は、蓄電池収納箱内の蓄電池の保温環境の変動に合わせて必要な加熱或いは冷却を自動的に行うことができるという優れた効果を有する。
【００３３】
請求項５記載の本発明に係る蓄電池収納庫は、蓄電池の温度環境に即した保温制御が可能になるという優れた効果を有する。
【００３４】
請求項６記載の本発明に係る蓄電池収納庫は、過度に冷却されることによる蓄電池の性能低下を抑制し、蓄電池の性能を良好に維持することができるという優れた効果を有する。
【００３５】
請求項７記載の本発明に係る蓄電池収納庫は、過度に加熱されることによる蓄電池の性能低下を抑制し、蓄電池の性能を良好に維持することができるという優れた効果を有する。
【００３６】
請求項８記載の本発明に係る蓄電池収納庫は、通常は外気の出入を許容して蓄電池を適度に冷却し、冬季等において外気温が非常に低い場合には蓄電池が過度に冷却されるのを防止することができるという優れた効果を有する。
【００３７】
請求項９記載の本発明に係る蓄電池収納庫は、通常は外気の出入を許容して蓄電池を適度に冷却し、夏季等において外気温が非常に高い場合には蓄電池が過度に加熱されるのを防止することができるという優れた効果を有する。
【００３８】
請求項１０記載の本発明に係る蓄電池収納庫は、蓄電池の保温効率を高めることができるという優れた効果を有する。
【図面の簡単な説明】
【００３９】
【図１】第１実施形態に係る蓄電池収納庫を備えた建物の概略立面図である。
【図２】図１に示される蓄電池収納庫を含む周辺部の縦断面図である。
【図３】第１実施形態における給湯給水経路の全体構成を概略的に示す斜視図である。
【図４】ルーバの開放状態を示す蓄電池収納庫の縦断面図である。
【図５】ルーバの閉止状態を示す蓄電池収納庫の縦断面図である。
【図６】ルーバ及びその駆動機構部を示す斜視図である。
【図７】第１実施形態で用いる制御システムのブロック図である。
【図８】床下空気温と蓄電池の最適温度との関係を示すグラフである。
【図９】制御フローを示すフローチャートである。
【図１０】第２実施形態に係る蓄電池収納庫の要部である蓋部を中心に示す蓄電池収納庫の縦断面図である。
【発明を実施するための形態】
【００４０】
〔第１実施形態〕
以下、図１〜図９を用いて、本発明に係る蓄電池収納庫の第１実施形態について説明する。
【００４１】
図１には、本実施形態に係る蓄電池収納庫を備えた建物１０の概略立面図が示されている。この図に示されるように、建物１０は、地盤に打設された基礎１２と、この基礎１２上に構築された一階部分１４と、一階部分１４の上に設けられた二階部分１６と、二階部分１６の上に設けられた屋根部分１８とによって概ね構成されている。一階部分１４の床２０の下方には、床下スペース２２が設けられている。
【００４２】
一階部分１４には、居室２４が設けられている他、洗面所２６及び浴室２８が設けられている。洗面所２６の床部２０Ａには洗面台３０が載置されていると共に、点検口３２（図２も参照）が形成されている。点検口３２は通常時は扉３４で閉止されており、後述する蓄電池４４のメンテナンス時には扉３４を取り外して点検口３２を開放できるようになっている。また、浴室２８の床部２０Ｂには浴槽３６が据付けられている。
【００４３】
ここで、床下スペース２２における洗面所２６の床部２０Ａの下方には、蓄電池収納庫４０が設置されている。なお、本実施形態では、洗面所２６の床部２０Ａの下方に蓄電池収納庫４０を設置しているが、浴室２８の床部２０Ｂの下方に蓄電池収納庫４０を設置してもよいし、図示しないキッチンの床部の下方に蓄電池収納庫４０を設置してもよい。
【００４４】
図２には、蓄電池収納庫４０を含む周辺部の縦断面図が示されている。この図に示されるように、蓄電池収納庫４０は、内部に蓄電池４４が収納される蓄電池収納箱４６と、この蓄電池収納箱４６の壁内部に配索される複数の配管５０と、によって構成されている。蓄電池収納箱４６はその殆どが土中に埋設されている。
【００４５】
より具体的に説明すると、蓄電池収納箱４６は、上面側が開放された箱状の箱本体部５２と、この箱本体部５２の上面側の開口部５４に着脱可能に被嵌された蓋体５６と、によって構成されている。さらに、箱本体部５２は、矩形平板状に形成された底壁部５８と、当該底壁部５８の四辺から垂直に立ち上がった４つの側壁部６０と、によって構成されている。
【００４６】
底壁部５８及び側壁部６０は、所定の間隔を隔てて配置された外側壁面５８Ａ、６０Ａ及び内側壁面５８Ｂ、６０Ｂと、両者の間に形成された空間部５８Ｃ、６０Ｃと、をそれぞれ備えている。そして、これらの空間部５８Ｃ、６０Ｃ内に側面視で上下逆向きのハット形状に屈曲された複数の配管５０が貫通された状態で配索されている。
【００４７】
配管５０と外側壁面５８Ａ、６０Ａとの間には所定厚さの断熱材６２が敷き詰められており、当該断熱材６２に添うようにして配管５０が配索されている。一方、配管５０と内側壁面５８Ｂ、６０Ｂとの間には、断熱材６２は配設されておらず、狭い隙間が形成されている。但し、配管５０が内側壁面５８Ｂ、６０Ｂに接触した状態で配索されていてもよい。また、隙間の適宜位置には、配管５０を保持するための配管保持ブラケット６４等の保持手段が配設されている。
【００４８】
上記構成により、配管５０から放熱された熱が箱本体部５２の外部（外側壁面５８Ａ、６０Ａ側）へ逸散されることを抑制し、かつ内側壁面５８Ｂ、６０Ｂへは伝熱されるようになっている。
【００４９】
一方、図４〜図６（特には図６）に示されるように、蓋体５６は、矩形平板状に形成された蓋本体部６６と、この蓋本体部６６の片方の側部に延設されたケーシング６８と、によって構成されている。このうち蓋本体部６６側には開閉手段としてのルーバ７０の羽板７２が配設されており、ケーシング６８側には羽板７２を回転させるための駆動機構部７４が配設されている。以下に具体的に説明する。
【００５０】
蓋本体部６６には、各々細長い矩形状に形成された複数の開口部７６が蓋本体部６６の長手方向に連続的に形成されている。各開口部７６内には、細長い矩形平板状に形成された羽板７２がそれぞれ配設されている。羽板７２の中心部には回転軸７８が設けられており、この回転軸７８の軸方向の両端部が開口部７６の内周縁に軸支されている。
【００５１】
図６に示されるように、ケーシング６８には、羽板７２の駆動機構部７４が配設されている。すなわち、各羽板７２の回転軸７８の一端部（ケーシング６８側の端部）は、ケーシング６８内へ貫通した状態で配置されており、その貫通端部には従動ギヤ８０が固定されている。従って、従動ギヤ８０が回転すると、回転軸７８も一体に回転し、羽板７２が回転軸７８回りに回転するようになっている。
【００５２】
上記の如くして構成された複数の羽板７２の従動ギヤ８０には、ラックバー８２が噛み合った状態で配置されている。ラックバー８２はケーシング６８の長手方向に沿って配置されており、軸方向移動可能にケーシング６８に支持されている。
【００５３】
ラックバー８２の端部には、駆動モータ８４の出力軸８６に固定されたピニオン８８が噛み合っている。従って、出力軸８６がその軸線回りに回転すると、ピニオン８８が一体に回転し、それに伴ってラックバー８２が軸方向移動するようになっている。
【００５４】
次に、配管５０の構成について詳細に説明する。
【００５５】
図３には、給湯給水経路の全体構成図が斜視図にて示されている。この図に示されるように、蓄電池収納庫４０の蓄電池収納箱４６の底壁部５８及び側壁部６０には、複数の配管５０が配索されている。本実施形態では、一例として３本の給湯管と２本の給水管の合計５本が蓄電池収納箱４６の側壁部６０に引き込まれている。なお、説明の便宜上、図３において左側の給水管を「第１給水管５０Ａ」と称し、右側の給水管を「第２給水管５０Ｂ」と称す。同様に、図３において左側の給湯管から順に「第１給湯管５０Ｃ」、「第２給湯管５０Ｄ」、「第３給湯管５０Ｅ」と称すことにする。
【００５６】
一方、建物１０の屋外には、給湯器９０が設置されている。給湯器９０には給水本管９２が接続されていると共に、給湯本管９４が接続されている。給湯本管９４はヘッダ９６（図２も参照）に接続されており、ヘッダ９６から洗面所２６、浴室２８、台所にそれぞれ分岐されている。
【００５７】
上記給湯器９０の給水本管９２には、給水バルブ９８を介して第１給水管５０Ａが接続されている。給水バルブ９８は電磁弁で構成されており、後述するコントローラ１１２によってその作動（開度）が制御（流量調節が可能と）されている。また、第２給水管５０Ｂは第１給水管５０Ａの分岐管として構成されている。
【００５８】
また、給湯器９０には、第１給湯管５０Ｃ〜第３給湯管５０Ｅが第１給湯バルブ１００〜第３給湯バルブ１０４を介して直接接続されている。第１給湯管５０Ｃは給湯器９０の下部に接続されており、又第２給湯管５０Ｄは給湯器９０の上部に接続されており、更に第３給湯管５０Ｅは給湯器９０の中段に接続されている。従って、第２給湯管５０Ｄから送給されるお湯が最も高温であり、次いで第３給湯管５０Ｅ、第１給湯管５０Ｃの順に湯温が低くなっていく。
【００５９】
さらに、上記第１給湯バルブ１００の近傍には熱媒体温度検出手段としての第１湯温検出センサ１０６（図７も参照）が取り付けられており、又第２給湯バルブ１０２の近傍には熱媒体温度検出手段としての第２湯温検出センサ１０８（図７も参照）が取り付けられており、更に第３給湯バルブ１０４の近傍には熱媒体温度検出手段としての第３湯温検出センサ１１０（図７も参照）が取り付けられている。これらの第１湯温検出センサ１０６〜第３湯温検出センサ１１０は、図７に示される制御手段としてのコントローラ１１２に接続されており、検出された湯温をコントローラ１１２に常時出力している。
【００６０】
また、給水バルブ９８にも、熱媒体温度検出手段としての水温検出センサ１１４が接続されている。水温検出センサ１１４もコントローラ１１２に接続されており、検出された水温をコントローラ１１２に常時出力している。
【００６１】
さらに、コントローラ１１２には、蓄電池収納箱４６内に設置された蓄電池収納箱内気温検出手段としての気温検出センサ１１６が接続されている。気温検出センサ１１６はコントローラ１１２に接続されており、検出された気温をコントローラ１１２に常時出力している。
【００６２】
また、コントローラ１１２には、前述した駆動モータ８４が接続されていると共に、第１給湯バルブ１００〜第３給湯バルブ１０４及び給水バルブ９８がそれぞれ接続されており、その作動が制御されている。
【００６３】
なお、上述した蓄電池４４は、商用電力系統、太陽電池等の独立電源、或いは自動車の燃料電池の余剰電力等から受電するため、これらと配線で接続されている。また、蓄電池４４は、建物１０内に設置されるエアコン、照明装置、プラグインハイブリッド車、自然冷媒ヒートポンプ給湯器等の負荷に給電するため、これらと配線で接続されている。つまり、この建物用蓄電システムは、蓄電池４４を使い、建物１０で使用する電気を蓄電及び給電する省エネ技術の一種である。例えば、この建物用蓄電システムを用いた場合、昼間はソーラーシステムで得られた電力等を蓄電池４４に蓄えると共に夜間は料金が安い深夜電力を蓄電池４４に蓄え、昼間の料金が高い時間帯に蓄電池４４で蓄電した電力を放電して利用するといった使い方ができる。
【００６４】
また、蓄電池収納庫４０内に収納される蓄電池４４としては、例えば、鉛蓄電池、ニッケル水素蓄電池、リチウムイオン蓄電池といった蓄電池が適用可能であるが、ニッケルカドミウム蓄電池等の他の蓄電池であってもよい。
【００６５】
（作用・効果）
次に、本実施形態の作用並びに効果について説明する。
【００６６】
まず、図８を用いて、床下スペース２２の空気温度と蓄電池収納庫４０の最適温度との関係について説明する。図８に示されるように、床下スペース２２の空気温度は、春季では約１０℃〜２０℃であり、夏季では約１５℃〜２５℃であり、秋季では約１０℃〜２０℃であり、冬季では約３℃〜１５℃である。一方、蓄電池４４の保管に最適な温度は約１０℃〜３０℃の範囲Ｓとされている。よって、春季から秋季にかけては概ね床下スペース２２の空気温度で蓄電池４４を保管できればよい、といえる。しかし、冬季については、床下スペース２２の空気温度が蓄電池４４の保管に最適な温度よりも下がることがあるので、加熱する必要があるといえる。さらに、夏季においては、床下スペース２２の空気温度は高くても２５℃程度であるが、蓄電池４４からの放熱が蓄電池収納庫４０内に篭ると、当然３０℃を超えてくることが予想されるから、そのときには蓄電池４４を冷却する技術も必要となるものと思われる。
【００６７】
以上の背景を念頭におき、本実施形態では、一例として、以下のように制御する。
【００６８】
図９には、制御フローが示されており、このフローチャートに沿って説明する。
【００６９】
まず、ステップ１５０で、各検出値の取込みが行われる。すなわち、気温検出センサ１１６によって検出された蓄電池収納箱４６内の気温ｔがコントローラ１１２に取り込まれる。また、第１湯温検出センサ１０６、第２湯温検出センサ１０８、第３湯温検出センサ１１０によって検出された第１給湯バルブ１００、第２給湯バルブ１０２、第３給湯バルブ１０４近傍での湯の温度がコントローラ１１２に取り込まれる。さらに、水温検出センサ１１４によって、給水バルブでの水温がコントローラ１１２に取り込まれる。
【００７０】
次に、ステップ１５２に移行し、蓄電池収納箱４６内の気温ｔが１０℃未満であるか否かが判断される。ステップ１５２で肯定判断された場合、ステップ１５４へ移行し、加熱モードが実行される。
【００７１】
具体的には、コントローラ１１２から駆動モータ８４に正転駆動信号が送られ、駆動モータ８４が所定回転数だけ正転駆動する。これにより、駆動モータ８４の出力軸８６に固定されたピニオン８８が正転し、これと噛み合っているラックバー８２が軸方向移動する。これにより、ラックバー８２と噛み合っている各従動ギヤ８０が同期して同一方向に同一回転量だけ回転される。その結果、羽板７２が閉止方向へ回転軸７８回りに回転し、全閉状態（図５図示状態）とされる。これにより、床下スペース２２の冷気が蓄電池収納箱４６の開口部５４から内部へ流入して蓄電池４４がそれ以上冷却されることがなくなる。
【００７２】
さらに、これと並行して、コントローラ１１２によって第１給湯バルブ１００、第２給湯バルブ１０２、第３給湯バルブ１０４の少なくとも一つが開放される。例えば、蓄電池収納箱４６内の気温ｔがかなり低い場合（０℃未満等）には、高温の湯から低温の湯まで全部使って蓄電池４４を加熱するべく、第１給湯バルブ１００〜第３給湯バルブ１０４まですべて全開状態とする。バルブを開くと、第１給湯管５０Ｃから第３給湯管５０Ｅまですべてに湯が送給され、蓄電池４４は最も加熱される。
【００７３】
逆に、蓄電池収納箱４６内の気温ｔが１０℃未満であるが、５℃以上１０℃未満のときには、湯温が最も低い第１給湯バルブ１００だけ開放して第１給湯管５０Ｃのみを使った加熱とする。そして、蓄電池収納箱４６内の気温ｔが０℃以上５℃未満のときには、第１給湯バルブ１００と第２給湯バルブ１０２を開いて第１給湯管５０Ｃと第２給湯管５０Ｄを使った加熱或いは第２給湯バルブ１０２と第３給湯バルブ１０４を開いて第２給湯管５０Ｄと第３給湯管５０Ｅを使った加熱がなされる。
【００７４】
このように必要とする熱量に応じて使用する給湯管を選択して組み合わせて給湯し、蓄電池４４を加熱する制御がなされる。
【００７５】
ステップ１５４の加熱モードが実行されると、ステップ１５０に戻り、蓄電池収納箱４６内の気温ｔが１０℃以上になるまでこの工程が繰り返される。
【００７６】
一方、ステップ１５２で否定された場合、即ち蓄電池収納箱４６内の気温ｔが１０℃以上であった場合には、ステップ１５６に移行し、蓄電池収納箱４６内の気温ｔが３０℃を超えているか否かが判断される。
【００７７】
ステップ１５６で肯定判断された場合、ステップ１５８へ移行し、冷却モードが実行される。
【００７８】
具体的には、コントローラ１１２から駆動モータ８４に逆転駆動信号が送られ、駆動モータ８４が所定回転数だけ逆転駆動する。これにより、駆動モータ８４の出力軸８６に固定されたピニオン８８が逆転し、これと噛み合っているラックバー８２が前述した場合と反対方向へ軸方向移動する。これにより、ラックバー８２と噛み合っている各従動ギヤ８０が同期して同一方向に同一回転量だけ回転される。その結果、羽板７２が開放方向へ回転軸７８回りに回転し、全開状態（図４図示状態）とされる。これにより、床下スペース２２の冷気が蓄電池収納箱４６の開口部５４から内部へ流入して蓄電池４４が冷却されると共に、蓄電池４４から放出される排熱が蓄電池収納箱４６内に篭ることが防止される。
【００７９】
さらに、これと並行して、コントローラ１１２によって給水バルブ９８が開放される。バルブを開くと、第１給水管５０Ａに冷水が送給されると共に第２給水管５０Ｂへも冷水が送給される。その結果、第１給水管５０Ａ及び第２給水管５０Ｂから冷熱が蓄電池４４に伝達されて、蓄電池４４が強制的に冷却される。
【００８０】
ステップ１５８の冷却モードが実行されると、ステップ１５０に戻り、蓄電池収納箱４６内の気温ｔが３０℃以下になるまでこの工程が繰り返される。
【００８１】
一方、ステップ１５６で否定された場合、即ち蓄電池収納箱４６内の気温ｔが１０℃以上３０度以下であった場合（蓄電池４４の保温に最適な温度となった場合）には、ステップ１１０に移行し、現在の蓄電池収納箱４６内の気温ｔが１０℃以上３０℃以下になっているか否かが確認的に判断される。ステップ１５８までの制御が円滑に実施されていれば、ステップ１１０は肯定判断されるので、ステップ１１２に移行し、現状維持モードが実施される。
【００８２】
この現状維持モードでは、ルーバ７０の羽板７２が半開になるように駆動モータ８４が制御されると共に、第１給湯バルブ１００〜第３給湯バルブ１０４及び給水バルブ９８のすべてが全閉状態とされる。すなわち、ルーバ７０による通気だけを確保して蓄電池４４の保管するようになる。
【００８３】
ステップ１１２が終了したら、ステップ１５０に戻される。また、ステップ１１０で否定された場合も、蓄電池収納箱４６内の気温ｔの温度管理がまだ安定しないので、ステップ１５０に戻される。
【００８４】
このように本実施形態に係る蓄電池収納庫４０では、蓄電池収納箱４６に複数の配管５０を配索し、蓄電池４４が過度に冷却される環境下におかれた場合には、第１給湯管５０Ｃ〜第３給湯管５０Ｅにお湯を送給することにより、蓄電池４４の温度低下を抑制することができる。また、この場合に、従来であれば熱損失として大気中に放出されていた排熱が、蓄電池４４の保温に有効利用される。すなわち、本実施形態によれば、建物１０内で発生する排熱を利用して蓄電池４４を保温することにより、蓄電池４４の性能を良好に維持することができる。
【００８５】
なお、蓄電池４４が過度に加熱される環境下におかれた場合には、第１給水管５０Ａ及び第２給水管５０Ｂ内に水を送給することにより、蓄電池４４の温度上昇を抑制することができる。従って、蓄電池４４の性能を良好に維持することができる。
【００８６】
また、本実施形態に係る蓄電池収納庫４０では、蓄電池収納箱４６内に気温検出センサ１１６を配設すると共に、第１湯温検出センサ１０６〜第３湯温検出センサ１１０、水温検出センサ１１４を配設し、コントローラ１１２でこれらの検出結果に基づいて給湯給水制御とルーバ７０の開閉制御を行うようにしたので、蓄電池収納箱４６内の蓄電池４４の保温環境の変動に合わせて必要な加熱或いは冷却を自動的に行うことができる。
【００８７】
さらに、本実施形態では、第１給湯バルブ１００〜第３給湯バルブ１０４及び給水バルブ９８を電磁弁で構成し、開度を全開と全閉以外にも半開等の開度を選択することができる。従って、単に配管５０にお湯又は水を送給するかしないかの選択だけでなく、お湯又は水の流量を減らして送給するといったことも可能となる。送給するお湯又は水の流量が変われば、蓄電池４４を加熱又は冷却するために伝える熱量も変わるので、より細かな保温が可能となる。その結果、蓄電池４４の温度環境に即した保温制御が可能になる。
【００８８】
また、本実施形態では、第１給湯管５０Ｃ〜第３給湯管５０Ｅに流れるお湯の湯温が異なるようにし、蓄電池４４の状態に応じて使用する給湯管を使い分けるようにしたので、多段階に蓄電池４４を加熱することができる。従って、より適切に蓄電池４４を加熱することができる。
【００８９】
さらに、本実施形態に係る蓄電池収納庫４０では、蓋体５６にルーバ７０を設け、コントローラ１１２で開閉制御するようにしたので、通常はルーバ７０を半開にして床下スペース２２の空気の流入を許容して蓄電池４４が適度に冷却されるようにし、床下スペース２２の空気が通常は外気の出入を許容して蓄電池４４を適度に冷却し、冬季等において外気温が非常に低い場合にはルーバ７０を閉止状態にして蓄電池４４が過度に冷却されるのを防止し、更に夏季等において床下スペース２２の外気温が非常に高い場合にはルーバ７０を開放状態にして蓄電池４４が過度に加熱されるのを防止するようにしたので、換言すれば、第１給湯管５０Ｃ〜第３給湯管５０Ｅ及び第１給水管５０Ａ、第２給水管５０Ｂといった配管５０を使った強制的な温度制御とルーバ７０を使った換気制御の双方を組み合わせた制御で蓄電池４４の温度管理を行うので、いずれか一方のみの場合に比べて、蓄電池４４に対する温度制御の実効性を担保することができる。
【００９０】
また、本実施形態に係る蓄電池収納庫４０では、蓄電池収納箱４６の底壁部５８及び側壁部６０内に断熱材６２を敷き詰めたので、配管５０と蓄電池収納箱４６の外部との熱の授受が遮断される。従って、熱媒体によって運ばれた温熱又は冷熱が蓄電池４４に伝達されずに蓄電池収納箱４６外へ逃げる熱ロスを削減することができる。その結果、本実施形態によれば、蓄電池４４の保温効率を高めることができる。
【００９１】
〔第２実施形態〕
次に、図１０を用いて、本発明に係る蓄電池収納庫の第２実施形態について説明する。なお、前述した第1実施形態と同一構成部分については、同一番号を付してその説明を省略する。
【００９２】
図１０に示されるように、この第２実施形態では、蓄電池収納庫４０を構成する蓄電池収納箱４６の蓋体１２０が、多数の通気孔１２２が形成されたパネルで構成されている点に特徴がある。すなわち、蓋体１２０には第１実施形態で説明したルーバ７０は設けられておらず、多数の通気孔１２２が規則的に形成されているのみとなっている。蓄電池収納箱４６の内部はこの多数の通気孔１２２を介して床下スペース２２内の空気と連通されている。
【００９３】
（作用・効果）
上記構成によっても、蓄電池収納箱４６内の通気性は確保されるので、適用は可能である。従って、ルーバ７０に関する作用効果は得られないが、それ以外の効果は前述した第１実施形態と同様に得られる。
【００９４】
また、蓋体１２０はルーバ７０やその駆動機構部７４といった構成を備えていないので、構成がシンプルになり、コスト削減を図ることができる。
【００９５】
なお、多数の通気孔１２２を形成する蓋体１２０を製作する代わりに、グレーチング等のように最初から多数の孔が形成された蓋体を用いることも可能である。
【００９６】
〔上記実施形態の補足説明〕
（１）上記実施形態では、蓄電池収納箱４６の箱本体部５２の底壁部５８及び側壁部６０の内部に複数の配管５０を貫通状態で配置したが、これに限らず、箱本体部５２の底壁部５８及び側壁部６０の内側壁面５８Ｂ、６０Ｂ又は外側壁面５８Ａ、６０Ａに沿って配管５０を配索してもよい。内側壁面５８Ｂ、６０Ｂに沿って配管５０を配索する場合には、蓄電池４４との干渉を考慮して、一例としてすのこ状の部材を底壁部５８上に置く等すればよい。また、外側壁面５８Ａ、６０Ａに沿って配管５０を配索する場合には、当該外側壁面５８Ａ、６０Ａに配管５０が収まる半円状の凹溝を設ける等して熱がなるべく逃げないようにすることが望ましい。
【００９７】
（２）上記実施形態では、第１給湯管５０Ｃから第３給湯管５０Ｅまでを給湯器９０の接続高さを変えて直接接続することで、異なる温度のお湯を供給することが可能となるように構成したが、これに限らず、図３に示すように給湯本管９４に第１給湯バルブ１００’、第２給湯バルブ１０２’、第３給湯バルブ１０４’を設け、これらの第１給湯バルブ１００’、第２給湯バルブ１０２’、第３給湯バルブ１０４’に第１給湯管５０Ｃ’、第２給湯管５０Ｄ’、第３給湯管５０Ｅ’を接続してもよい。すなわち、給湯器９０から直接配管を引いてもよいし、給湯本管９４にバイパス路を設けてもよい。その場合、同一温度のお湯を３本の給湯管で送給するようになるので、蓄電池４４を加熱する度合いに応じて使用する本数を変更するようにすればよい。このような制御をしても、上記実施形態で説明した異なる温度のお湯を選択して給湯する場合と同じ効果が得られる。
【００９８】
（３）上記実施形態では、給水バルブ９８を一つとしたが、１本の給水管につき１個の給水バルブを設定して複数個の給水バルブを設けるようにしてもよい。また、給湯管の本数を３本としたが、これに限らず、１本でもよいし、２本でもよく、４本以上でもよい。さらに、上記実施形態では、給水管と給湯管の双方を備えた構成になっていたが、これに限らず、給湯管のみを設置してもよい。
【００９９】
（４）上記実施形態では、建物に付随して設置された熱源である給湯器９０を用いて構成を成立させたが、これに限らず、建物内に設置された熱源を用いて構成を成立させてもよい。
【０１００】
（５）上記実施形態では、蓄電池収納箱４６の上壁部にルーバ７０を設置したが、これに限らず、蓄電池収納箱４６の側壁部にルーバを設置してもよい。
【符号の説明】
【０１０１】
１０      建物
２０      床
４０      蓄電池収納庫
４４      蓄電池
４６      蓄電池収納箱
５０      配管
５４      開口部
５８      底壁部（壁）
５８Ａ    外側壁面（外壁面）
５８Ｂ    内側壁面（内壁面）
６０      側壁部（壁）
６２      断熱材
７０      ルーバ（開閉手段）
９０      給湯器（熱源）
９２      給水本管（熱源）
９８      給水バルブ
１００    第１給湯バルブ
１０２    第２給湯バルブ
１０４    第３給湯バルブ
１０６    第１湯温検出センサ（熱媒体温度検出手段）
１０８    第２湯温検出センサ（熱媒体温度検出手段）
１１０    第３湯温検出センサ（熱媒体温度検出手段）
１１２    コントローラ（制御手段）
１１４    水温検出センサ（熱媒体温度検出手段）
１１６    気温検出センサ（気温検出手段）
【図１】
2010192409.tif 000003
【図２】
2010192409.tif 000004
【図３】
2010192409.tif 000005
【図４】
2010192409.tif 000006
【図５】
2010192409.tif 000007
【図６】
2010192409.tif 000008
【図７】
2010192409.tif 000009
【図８】
2010192409.tif 000010
【図９】
2010192409.tif 000011
【図１０】
2010192409.tif 000012